(57)【要約】【課題】遮光性及び透水性を有する防草シートの表面にゼオライトを含有する被膜層を形成してなる防草兼用放射性物質飛散防止用シートであるから、雑草の繁殖を抑制する防草効果及び放射性物質の飛散防止効果を併せ持つ防草兼用放射性物質飛散防止用シートを得ることができ、この防草兼用放射性物質飛散防止用シートで放射性物質が降った工事現場の仮置き汚染掘削盛土や田畑、道路等の土壌の表面を覆うことにより、防草シートの高い遮光性により光合成が阻止され、雑草の繁殖を抑制することができると共に透水性により土壌環境を保全することができ、かつ、被膜層中のゼオライトによる吸着作用により放射性物質を防草兼用放射性物質飛散防止用シートに吸着保持することができる。【解決手段】遮光性及び透水性を有する防草シート１の表面にゼオライトＺを含有する被膜層２を形成してなる。【選択図】図１
2013153673.tif 000002
【特許請求の範囲】
【請求項１】
遮光性及び透水性を有する防草シートの表面にゼオライトを含有する被膜層を形成してなることを特徴とする防草兼用放射性物質飛散防止用シート。
【請求項２】
上記防草シートは生分解性を有するポリ乳酸繊維からなることを特徴とする請求項１記載の防草兼用放射性物質飛散防止用シート。
【請求項３】
上記防草シートは織布であることを特徴とする請求項２記載の防草兼用放射性物質飛散防止用シート。
【請求項４】
遮光性及び透水性を有する防草シートをバインダー樹脂にゼオライトを懸濁させてなる乳濁液に浸漬し、該浸漬により該防草シートの表面にゼオライトを含有する被膜層を形成することを特徴とする防草兼用放射性物質飛散防止用シートの製造方法。
【請求項５】
上記防草シートは生分解性を有するポリ乳酸繊維からなることを特徴とする請求項４記載の防草兼用放射性物質飛散防止用シートの製造方法。
【請求項６】
上記ゼオライトは略球形微粒状のゼオライト系鉱物からなることを特徴とする請求項４又は５記載の防草兼用放射性物質飛散防止用シートの製造方法。
【請求項７】
上記バインダー樹脂はシリコン変性アクリル樹脂エマルションであることを特徴とする請求項４〜６のいずれか１項に記載の防草兼用放射性物質飛散防止用シートの製造方法。
【発明の詳細な説明】
【技術分野】
【０００１】
本発明は、雑草等の発生を防ぐ除草効果及び道路、田畑等の土壌の表面に降った放射性物質の飛散防止効果を併せ持つ防草兼用放射性物質飛散防止用シート及びその製造方法に関するものである。
【背景技術】
【０００２】
従来、この種の防草用シートとして、遮光性及び透水性を有するポリ乳酸繊維の不織布からなる構造のものが知られている。
【先行技術文献】
【特許文献】
【０００３】
【特許文献１】特許第３５７３６１２号公報
【発明の概要】
【発明が解決しようとする課題】
【０００４】
しかしながら、近年の原発事故の発生により放出された放射性物質が降った現場の仮置き汚染掘削盛土や田畑、道路等の土壌の表面を除草シートで覆ったとしても、雑草の繁茂を防ぐという防草効果を発揮するものの、強風により除草シートの捲り揚りが生じたりすることにより、放射性物質の周囲飛散を防止することができないことがあるという不都合を有している。
【課題を解決するための手段】
【０００５】
本発明はこれらの不都合を解決することを目的とするもので、本発明のうちで、請求項１記載の発明は、遮光性及び透水性を有する防草シートの表面にゼオライトを含有する被膜層を形成してなることを特徴とする防草兼用放射性物質飛散防止用シートにある。
【０００６】
又、請求項２記載の発明は、上記防草シートは生分解性を有するポリ乳酸繊維からなることを特徴とするものであり、又、請求項３記載の発明は、上記防草シートは織布であることを特徴とするものである。
【０００７】
又、請求項４記載の方法の発明は、遮光性及び透水性を有する防草シートをバインダー樹脂にゼオライトを懸濁させてなる乳濁液に浸漬し、該浸漬により該防草シートの表面にゼオライトを含有する被膜層を形成することを特徴とする防草兼用放射性物質飛散防止用シートの製造方法にある。
【０００８】
又、請求項５記載の方法の発明は、上記防草シートは生分解性を有するポリ乳酸繊維からなることを特徴とするものであり、又、請求項６記載の方法の発明は、上記ゼオライトは略球形微粒状のゼオライト系鉱物からなることを特徴とするものであり、又、請求項７記載の方法の発明は、上記バインダー樹脂はシリコン変性アクリル樹脂エマルションであることを特徴とするものである。
【発明の効果】
【０００９】
本発明は上述の如く、請求項１記載の発明にあっては、遮光性及び透水性を有する防草シートの表面にゼオライトを含有する被膜層を形成してなる防草兼用放射性物質飛散防止用シートであるから、雑草の繁殖を抑制する防草効果及び放射性物質の飛散防止効果を併せ持つ防草兼用放射性物質飛散防止用シートを得ることができ、この防草兼用放射性物質飛散防止用シートで放射性物質が降った工事現場の仮置き汚染掘削盛土や田畑、道路等の土壌の表面を覆うことにより、防草シートの高い遮光性により光合成が阻止され、雑草の繁殖を抑制することができると共に透水性により土壌環境を保全することができ、かつ、被膜層中のゼオライトによる吸着作用により放射性物質を防草兼用放射性物質飛散防止用シートに吸着保持することができ、土壌の表面や雨水中に存在する放射性物質の周囲飛散を防止することができる。
【００１０】
又、請求項２又は５記載の発明にあっては、上記防草シートは生分解性を有するポリ乳酸繊維からなるので、一定時間が経過したのち、生分解によりほぼ完全に分解し、防草シートの廃棄処理を行う手間が省けると共に自然環境の汚染を防ぐことができ、又、請求項３記載の発明にあっては、上記防草シートは織布であるから、高い剛性及び引張強度等の機械的強度を得ることができ、使用の耐久性を高めることができる。
【００１１】
又、請求項４記載の発明にあっては、遮光性及び透水性を有する防草シートをバインダー樹脂にゼオライトを懸濁させてなる乳濁液に浸漬し、この浸漬により該防草シートの表面にゼオライトを含有する被膜層を形成して防草兼用放射性物質飛散防止用シートを製造するようにしているから、防草兼用放射性物質飛散防止用シートを容易に製造することができると共に製造コストを低減することができる。
【００１２】
又、請求項６記載の発明にあっては、上記ゼオライトは略球形微粒状のゼオライト系鉱物からなるので、放射性物質の吸着作用を良好に発揮することができ、又、請求項７記載の発明にあっては、上記バインダー樹脂はシリコン変性アクリル樹脂エマルションであるから、防草シートと被覆層と接着強度及び被覆層中のゼオライトの保持強度を高めることができ、防草兼用放射性物質飛散防止用シートの耐久性を高めることができる。
【図面の簡単な説明】
【００１３】
【図１】本発明の実施の形態例の使用状態図である。
【図２】本発明の実施の形態例の部分断面図である。
【図３】本発明の実施の形態例の製造工程説明図である。
【発明を実施するための形態】
【００１４】
図１、図２及び図３は本発明の実施の形態例を示し、１は防草シートであって、遮光性及び透水性並びに紫外線に対する耐候性に優れ、生分解性を有するポリ乳酸繊維の綾織組織の織布からなる。このポリ乳酸繊維は、植物起源の素材から合成されるバイオプラスチックであり、別名、例えば、「とうもろこし繊維」とも呼ばれ、トウモロコシやジャガイモ、サトウキビを原料に乳酸菌による乳酸発酵を行ってできる乳酸を重合してポリ乳酸とし、繊維化して製造され、石油等の化学原料由来の素材ではないために、使用後廃棄しても土中や水中の微生物の栄養源として利用され、最終的には水と炭酸ガスに分解され、地球にやさしい繊維であるといえる。
【００１５】
２は被膜層であって、この場合、液状のバインダー樹脂ＢにゼオライトＺを懸濁させてなる乳濁液Ｌに防草シート１を浸漬し、この浸漬により、防草シート１の表面にゼオライトＺを含有する被膜層２を形成し、防草兼用放射性物質飛散防止用シート３を製作するようにしている。このゼオライトＺは沸石とも呼ばれ、アルミノ珪酸塩系鉱物からなる骨格構造を有して骨格中には分子レベルの微細孔を持ち、この微細孔のサイズがセシウム原子の大きさに近く、セシウムを吸着しやすいとされている。
【００１６】
この場合、バインダー樹脂ＢにゼオライトＺを懸濁させてなる乳濁液Ｌとして、商品名「マーホゾールＦ・３００Ｋ」（松本油脂製薬株式会社製）が用いられ、この商品は一般性状は外観が乳白色エマルション、イオン性はアニオン性、有効成分３０％、ＰＨ中性であり、ゼオライトＺは略球形微粒状のゼオライト系鉱物が用いられており、バインダー樹脂Ｂはシリコン変性アクリル樹脂エマルションが用いられている。
【００１７】
この実施の形態例においては、遮光性及び透水性を有する防草シート１の表面にゼオライトＺを含有する被膜層２を形成し、これにより雑草の繁殖を抑制する防草効果及び放射性物質Ｈの飛散防止効果を併せ持つ防草兼用放射性物質飛散防止用シート３を得ることができ、図１の如く、この防草兼用放射性物質飛散防止用シート３で放射性物質Ｈが降った工事現場の仮置き汚染掘削盛土や田畑、道路等の土壌Ｄの表面を覆うことにより、防草シート１の高い遮光性により光合成が阻止され、雑草の繁殖を抑制することができると共に透水性により土壌環境を保全することができ、かつ、図２の如く、被膜層２中のゼオライトＺの吸着作用により放射性物質Ｈ、例えば、強い放射性をもつセシウム１３７をゼオライトＺの微細孔内に吸着することができ、放射性物質Ｈを防草兼用放射性物質飛散防止用シート３に吸着保持することができ、このゼオライトＺによる放射性物質Ｈの吸着作用により土壌Ｄの表面や雨水中に存在する放射性物質Ｈの周囲飛散を防止することができる。
【００１８】
この場合、上記防草シート１は生分解性を有するポリ乳酸繊維からなるので、一定時間が経過したのち、生分解によりほぼ完全に分解し、防草シートの廃棄処理を行う手間が省けると共に自然環境の汚染を防ぐことができ、又、この場合、上記防草シート１は織布であるから、高い剛性及び引張強度等の機械的強度を得ることができ、使用の耐久性を高めることができる。
【００１９】
又、この場合、図３の如く、遮光性及び透水性を有する防草シート１をバインダー樹脂ＢにゼオライトＺを懸濁させてなる乳濁液Ｌに浸漬し、この浸漬により防草シート１の表面にゼオライトＺを含有する被膜層２を形成し、防草兼用放射性物質飛散防止用シート３を製造するようにしているから、防草兼用放射性物質飛散防止用シート３を容易に製造することができ、製造コストを低減することができる。
【００２０】
又、この場合、上記ゼオライトは略球形微粒状のゼオライト系鉱物からなるので、放射性物質Ｈの吸着作用を良好に発揮することができ、又、この場合、上記バインダー樹脂Ｂはシリコン変性アクリル樹脂エマルションであるから、防草シート１と被覆層２と接着強度及び被覆層２中のゼオライトＺの保持強度を高めることができ、防草兼用放射性物質飛散防止用シート３の耐久性を高めることができる。
【００２１】
尚、本発明は上記実施の形態例に限られるものではなく、防草シート１、被覆層２、ゼオライトＺ、バインダー樹脂Ｂ、乳濁液Ｌの原料、組成、種類等は適宜変更して設計されるものである。
【００２２】
以上、所期の目的を充分達成することができる。
【符号の説明】
【００２３】
Ｈ    放射性物質
Ｄ    土壌
Ｌ    乳濁液
Ｂ    バインダー樹脂
Ｚ    ゼオライト
１    防草シート
２    被膜層
３    防草兼用放射性物質飛散防止用シート
【図１】
2013153673.tif 000003
【図２】
2013153673.tif 000004
【図３】
2013153673.tif 000005